(57)【要約】【課題】利用者に注意を喚起することができ、メモを記入したことを忘れ難くすることができるメモ用紙を提供すること。【解決手段】シート状の用紙本体部２を備え、前記用紙本体部２の一方の主面２ａに、メモを記入するためのメモスペース部３が設けられ、前記用紙本体部２の他方の主面２ｂに、装飾用デザインが施されたデザイン部８が設けられ、前記メモスペース部３及び前記デザイン部８を環状に配した状態で保持する係止部４，５が前記用紙本体部２に設けられていることを特徴とする。【選択図】図１
0003177592.tif 000002
【実用新案登録請求の範囲】
【請求項１】
シート状の用紙本体部を備え、
前記用紙本体部の一方の主面に、メモを記入するためのメモスペース部が設けられ、
前記用紙本体部の他方の主面に、装飾用デザインが施されたデザイン部が設けられ、
前記メモスペース部及び前記デザイン部を環状に配した状態で保持する係止部が前記用紙本体部に設けられていることを特徴とするメモ用紙。
【請求項２】
前記環状の内周側に前記メモスペース部が配され、
前記環状の外周側に前記デザイン部が配されるように構成されていることを特徴とする請求項１に記載のメモ用紙。
【請求項３】
前記用紙本体部が長尺状に形成され、
前記係止部は、
前記用紙本体部の長手方向の一端部において、前記用紙本体部の短手方向の一端から前記用紙本体部の内方に連続して延ばされた第一の切り欠き部と、
前記長手方向の他端部において、前記短手方向の他端から前記用紙本体部の内方に連続して延ばされて、前記第一の切り欠き部に係止される第二の切り欠き部と
を備えることを特徴とする請求項１又は請求項２に記載のメモ用紙。
【請求項４】
前記第一の切り欠き部は、前記短手方向の一端から前記短手方向の内方に延ばされその端から前記長手方向の一端側に連続して延ばされてＬ字状に形成され、
前記第二の切り欠き部は、前記短手方向の他端から前記長手方向の他端側に配された地点まで連続して延ばされて傾斜して形成されていることを特徴とする請求項３に記載のメモ用紙。
【請求項５】
前記第二の切り欠き部は、
前記短手方向の他端から、前記第二の切り欠き部の切り欠き線上の途中位置までの傾斜の大きい大傾斜部と、
前記途中位置から前記長手方向の他端側に配された地点までの傾斜の小さい小傾斜部とを備えていることを特徴とする請求項４に記載のメモ用紙。
【請求項６】
前記大傾斜部は、前記小傾斜部よりも前記長手方向の一端側に向けて凸状に湾曲していることを特徴とする請求項５に記載のメモ用紙。
【請求項７】
前記短手方向の前記他端から、前記短手方向の外方に向けて、かつ前記長手方向の一端側に向けて突出する突出部が設けられていることを特徴とする請求項３から請求項６のいずれか一項に記載のメモ用紙。
【請求項８】
前記長手方向の他端部のうち前記短手方向の一端側に、前記突出部に対向して配された対向突出部が設けられていることを特徴とする請求項７に記載のメモ用紙。
【請求項９】
前記用紙本体部が長尺状に形成され、
前記係止部は、
前記用紙本体部の一端に設けられて、前記用紙本体部の長手方向にいくにしたがって幅寸法が漸次小さくなる先細り部と、
前記用紙本体部のうち前記先細り部よりも前記用紙本体部の他端側に設けられて、前記先細り部が係合される係合穴と
を備えることを特徴とする請求項１又は請求項２に記載のメモ用紙。
【請求項１０】
前記係止部は、
前記用紙本体部のうち前記環状に配される領域に設けられ、かつ前記用紙本体部の短手方向の一端から前記用紙本体部の内方に延ばされた環状内切り欠き部と、
前記用紙本体部のうち前記係合穴よりも前記用紙本体部の他端側に設けられ、かつ前記用紙本体部の短手方向の他端から前記用紙本体部の内方に延ばされて、前記環状内切り欠き部に係止される補助切り欠き部と
を備えることを特徴とする請求項９に記載のメモ用紙。
【考案の詳細な説明】
【技術分野】
【０００１】
本考案は、メモを記入するためのメモ用紙に関する。
【背景技術】
【０００２】
従来、メモを記入するために種々のメモ用紙が利用されている。このようなメモ用紙としては、長方形のシートが積層されて束にされ、当該シート一枚ずつが切り取り可能に構成されているものが知られている（例えば、特許文献１参照。）。そして、利用者は、シートにメモを記入し、当該シートを切り取って所定の場所に置くなどして、メモの内容を忘れないようにする。
【先行技術文献】
【特許文献】
【０００３】
【特許文献１】特開２００４ー３０６５２０号公報
【考案の概要】
【考案が解決しようとする課題】
【０００４】
しかしながら、このようなメモ用紙では、あまりにも事務的で利用者がシート自体に注意を向け難くなってしまうだけでなく、メモが記入されたシートが例えば書類などに埋もれてしまって当該シートを見ることができなくなってしまうという問題がある。
【０００５】
本考案は、このような問題を解決するためになされたもので、利用者に注意を喚起することができ、メモを記入したことを忘れ難くすることができるメモ用紙を提供することを目的とする。
【課題を解決するための手段】
【０００６】
上記課題を解決するために、本考案は以下の手段を提供する。
本考案は、シート状の用紙本体部を備え、前記用紙本体部の一方の主面に、メモを記入するためのメモスペース部が設けられ、前記用紙本体部の他方の主面に、装飾用デザインが施されたデザイン部が設けられ、前記メモスペース部及び前記デザイン部を環状に配した状態で保持する係止部が前記用紙本体部に設けられていることを特徴とする。
【０００７】
この考案においては、係止部を係止すると、前記メモスペース部及び前記デザイン部が環状に配された状態で保持される。
これにより、メモ用紙という事務的なグッズに対して遊び心やデザイン性を付加することができるだけでなく、用紙本体部が書類によって埋もれてしまうことを防止することができる。
【０００８】
また、本考案は、前記環状の内周側に前記メモスペース部が配され、前記環状の外周側に前記デザイン部が配されるように構成されていることを特徴とする。
【０００９】
この考案によれば、メモの内容を他人に見られないようにしたまま、机の上に気軽に置いておくことができる。
【００１０】
また、本考案は、前記用紙本体部が長尺状に形成され、前記係止部は、前記用紙本体部の長手方向の一端部において、前記用紙本体部の短手方向の一端から前記用紙本体部の内方に連続して延ばされた第一の切り欠き部と、前記長手方向の他端部において、前記短手方向の他端から前記用紙本体部の内方に連続して延ばされて、前記第一の切り欠き部に係止される第二の切り欠き部とを備えることを特徴とする。
【００１１】
この考案によれば、第一の切り欠き部と第二の切り欠き部をスライドさせるだけで、互いに噛み合わせることができるため、用紙本体部の環状の状態を保持したまま、第一の切り欠き部と第二の切り欠き部とを容易に係止させることができる。
【００１２】
また、本考案は、前記第一の切り欠き部が、前記短手方向の一端から前記短手方向の内方に延ばされその端から前記長手方向の一端側に連続して延ばされてＬ字状に形成され、前記第二の切り欠き部は、前記短手方向の他端から前記長手方向の他端側に配された地点まで連続して延ばされて傾斜して形成されていることを特徴とする。
【００１３】
この考案によれば、Ｌ字状の横線の切り欠き部を介して、Ｌ字状の縦線の切り欠き部と第二の切り欠き部とを容易に係止させることができる。
【００１４】
また、本考案は、前記第二の切り欠き部が、前記短手方向の他端から、前記第二の切り欠き部の切り欠き線上の途中位置までの傾斜の大きい大傾斜部と、前記途中位置から前記長手方向の他端側に配された地点までの傾斜の小さい小傾斜部とを備えていることを特徴とする。
【００１５】
この考案においては、第一の切り欠き部と第二の切り欠き部とが係止されたとき、第一の切り欠き部が、途中位置において大傾斜部の急峻な傾斜に当接することによって、係止を解除する方向の第一の切り欠き部の移動が規制される。
そのため、第一の切り欠き部と第二の切り欠き部との係止の保持力が強化される。
【００１６】
また、本考案は、前記大傾斜部が、前記小傾斜部よりも前記長手方向の一端側に向けて凸状に湾曲していることを特徴とする。
【００１７】
この考案によれば、第一の切り欠き部と第二の切り欠き部を係止させるとき、これら第一の切り欠き部と第二の切り欠き部を容易にスライドさせることができるだけでなく、第一の切り欠き部と第二の切り欠き部との係止の保持力をさらに強化することができる。
【００１８】
また、本考案は、前記短手方向の前記他端から、前記短手方向の外方に向けて、かつ前記長手方向の一端側に向けて突出する突出部が設けられていることを特徴とする。
【００１９】
この考案によれば、第一の切り欠き部と第二の切り欠き部とを係止させたときに、用紙本体部の一端部と突出部とを当接させることができ、第一の切り欠き部と第二の切り欠き部の係止力をさらに増強することができる。
【００２０】
また、本考案は、前記長手方向の他端部のうち前記短手方向の一端側に、前記突出部に対向して配された対向突出部が設けられていることを特徴とする。
【００２１】
この考案によれば、第一の切り欠き部と第二の切り欠き部とを係止させて立体形状になった用紙本体部のバランスを保持することができる。
【００２２】
また、本考案は、前記用紙本体部が長尺状に形成され、前記係止部は、前記用紙本体部の一端に設けられて、前記用紙本体部の長手方向にいくにしたがって幅寸法が漸次小さくなる先細り部と、前記用紙本体部のうち前記先細り部よりも前記用紙本体部の他端側に設けられて、前記先細り部が係合される係合穴とを備えることを特徴とする。
【００２３】
この考案によれば、先細り部を係合穴に係合させるという簡易な動作により、用紙本体部の環状の状態を保持したまま、先細り部と係合穴とを容易に係止させることができる。
【００２４】
また、本考案は、前記係止部が、前記用紙本体部のうち前記環状に配される領域に設けられ、かつ前記用紙本体部の短手方向の一端から前記用紙本体部の内方に延ばされた環状内切り欠き部と、前記用紙本体部のうち前記係合穴よりも前記用紙本体部の他端側に設けられ、かつ前記用紙本体部の短手方向の他端から前記用紙本体部の内方に延ばされて、前記環状内切り欠き部に係止される補助切り欠き部とを備えることを特徴とする。
【００２５】
この考案によれば、環状内切り欠き部と補助切り欠き部とを係止させることにより、先細り部と係合穴との係止を補助することができる。
【考案の効果】
【００２６】
本考案によれば、利用者に注意を喚起することができ、メモを記入したことを忘れ難くすることができる。
【図面の簡単な説明】
【００２７】
【図１】本考案の第１の実施形態におけるメモ用紙を示す平面図である。
【図２】図１のメモ用紙を反対面から示す平面図である。
【図３】図１の用紙本体部を約１８０°ひねった様子を示す斜視図である。
【図４】図１の用紙本体部を約３６０°ひねった様子を示す斜視図である。
【図５】図１の第一の切り欠き部と第二の切り欠き部とを係止させた様子を示す斜視図である。
【図６】本考案の第２の実施形態におけるメモ用紙を示す平面図である。
【図７】図６のメモ用紙を反対面から示す平面図である。
【図８】図１の先細り部を係合穴に係止した様子を示す斜視図である。
【図９】図８の環状内切り欠き部と補助切り欠き部とを係止した様子を示す斜視図である。
【図１０】本考案の第１の変形例におけるメモ用紙を示す平面図である。
【図１１】本考案の第２の変形例におけるメモ用紙を示す平面図である。
【図１２】本考案の第３の変形例におけるメモ用紙を示す平面図である。
【考案を実施するための最良の形態】
【００２８】
（実施形態）
以下、本考案の実施形態におけるメモ用紙について、図面を参照して説明する。
図１および図２は、本実施形態におけるメモ用紙１を示すものである。
なお、図１および図２において、符号Ｗは、メモ用紙１の幅方向（短手方向）を示し、符号Ｈは、メモ用紙１の高さ方向（長手方向）を示すものである。
メモ用紙１は、シート状に形成された紙製の用紙本体部２を備えている。用紙本体部２は、長尺状に延ばされて形成されている。
【００２９】
用紙本体部２の表裏の主面２ａ，２ｂには、全体として茶色の配色が施されている。
用紙本体部２の高さ方向Ｈの一端２ｃには、ウサギの顔のデザインが施され、ウサギの耳や顔の形状に合わせて輪郭が形成されている。
また、用紙本体部２の一方の主面２ａのうち、高さ方向Ｈの中央の領域には、長方形状に延ばされた白抜きのメモスペース部３が設けられている。メモスペース部３のうち、用紙本体部２の一端２ｃ側には、「ｍｅｓｓａｇｅ」の文字が記載されている。また、メモスペース部３のうち、用紙本体部２の高さ方向Ｈの他端部２ｄ側には、「ｄａｔｅ」および「ｆｒｏｍ」の文字が段にして記載されている。すなわち、メモスペース部３のうち、「ｍｅｓｓａｇｅ」から「ｄａｔｅ」の間のスペースにメモの内容が記載され、「ｄａｔｅ」の下スペースに日付が記載され、さらに「ｆｒｏｍ」の下スペースに利用者の名前等が記載されるようになっている。
【００３０】
また、用紙本体部２の一端部には、幅方向Ｗの一端２ｅから用紙本体部２の内方領域に連続して延ばされた第一の切り欠き部（係止部）４が形成されている。
第一の切り欠き部４は、用紙本体部２の一端部のうち、幅方向Ｗの一端２ｅから幅方向Ｗの内方に延ばされた横切り欠き部４ａと、この横切り欠き部４ａの他端側から用紙本体部２の一端２ｃ側に向かって外方に傾斜して延ばされた傾斜切り欠き部４ｂとを備え、全体としてＬ字状に形成されている。さらに、第一の切り欠き部４は、メモスペース部３の一端２ｃ側に設けられており、そのためメモスペース部３の一端２ｃ側は切り欠かれている。
【００３１】
また、用紙本体部２の他方の主面２ｂのうち、高さ方向Ｈの中央の領域には、装飾用のデザインが施されたデザイン部８が設けられている。デザイン部８は、ウサギの尻尾に相当する半円状の図形として設けられている。
なお、メモスペース部３とデザイン部８とは、表裏で重なる位置に設けられている。
また、用紙本体部２の高さ方向Ｈの他端部２ｄのうち、幅方向Ｗの一端２ｅには、当該一端２ｅから幅方向Ｗの外方に突出し、かつ長さ方向Ｈの一端２ｃ側に突出した対向突出部７が形成されている。さらに、用紙本体部２の他端部２ｄのうち、幅方向Ｗの他端２ｆには、当該他端２ｆから幅方向Ｗの外方に突出し、かつ長さ方向Ｈの一端２ｃ側に突出した突出部６が形成されている。これら対向突出部７および突出部６は、曲線上に突出して形成されている。さらに、対向突出部７および突出部６は、同一形状・同一サイズに形成され、互いに対向して配されており、それぞれがウサギの後ろ足に相当するデザインが施され、その足の形状に合わせて輪郭が形成されている。
【００３２】
また、用紙本体部２の他端部２ｄには、幅方向Ｗの他端２ｆから用紙本体部２の内方領域に連続して延ばされた第二の切り欠き部（係止部）５が形成されている。第二の切り欠き部５は、幅方向Ｗの他端２ｆから、用紙本体部２の内方領域であって他端部２ｄ側に設けられた終点５Ｐに向けて傾斜して形成されている。さらに、第二の切り欠き部５は、幅方向Ｗの他端２ｆから途中位置５Ｐ１までの傾斜の大きい（急峻な）大傾斜部５ａと、途中位置５Ｐ１から終点５Ｐまでの傾斜の小さい（緩やかな）小傾斜部５ｂとを備えている。なお、途中位置５Ｐ１は、第二の切り欠き部５の切り欠き線上全長の途中に設定される。大傾斜部５ａは、小傾斜部５ｂよりも長さ寸法が大きくして形成されている。また、大傾斜部５ａは、小傾斜部５ｂよりも一端２ｃ側に向けて凸状により大きく湾曲している。
【００３３】
次いで、本実施形態におけるメモ用紙１の利用方法について説明する。
利用者は、用紙本体部２をシート状に配した状態で、メモスペース部３にメモや日付、名前等を記入する。そして、用紙本体部２の他端部２ｄの他方の主面２ｂを手前に向けた状態で、他端部２ｄを左手の指で把持する。さらに、図３に示すように、用紙本体部２の一端部を右手の指で把持して、用紙本体部２の一端部の一方の主面２ａが手前を向くように、用紙本体部２を約１８０°ひねる。このとき、用紙本体部２の一端部が右に配され、他端部２ｄが左に配されるようにしてひねっていく。そして、図４に示すように、用紙本体部２の一端部の他方の主面２ｂが手前を向くように、さらに用紙本体部２を約１８０°（全体で約３６０°）ひねる。すなわち、用紙本体部２の他端部２ｄの他方の主面２ｂが手前を向いた状態のまま、用紙本体部２の一端部の他方の主面２ｂが表裏で一回転し、用紙本体部２の高さ方向Ｈの中央部がひねられて環状に配される。このとき、傾斜切り欠き部４ｂの傾斜と、第２の切り欠き部５の傾斜とがほぼ直線上に配される位置まで、用紙本体部２の一端部と他端部２ｄを移動させる。
【００３４】
この状態から、図５に示すように、傾斜切り欠き部４ｂと第二の切り欠き部５が噛み合うように、用紙本体部２の一端部と他端部２ｄを移動させていく。このとき、傾斜切り欠き部４ｂは、大傾斜部５ａを乗り越えて、さらに途中位置５Ｐ１を通って小傾斜部５ｂを乗り越えていく。そして、横切り欠き部４ａが用紙本体部２の他端と揃ったところで、用紙本体部２の一端部と他端部２ｄの移動を止めて左右の指を離す。このとき、傾斜切り欠き部４ｂと第二の切り欠き部５が噛み合わされることにより、互いに係止され、用紙本体部２の高さ方向Ｈの中央部がひねられて環状に配された状態で保持される。すなわち、用紙本体部２が立体的に配された状態で保持される。そして、環状部分の内周側にメモスペース部３が配され、環状部分の外周側にデザイン部８が配される。
この状態で、用紙本体部２の一端部の他方の主面２ｂが手前を向き、用紙本体部２の一端２ｃが上方を向くようにして、机の上などに置いておく。
そして、メモスペース部３のメモの内容などを見たい場合には、環状の横からメモの記載を見ることもできるし、上記環状係止の工程とは反対の工程によって、用紙本体部２をシート状に戻してからメモの記載を見ることもできる。
【００３５】
以上より、本実施形態におけるメモ用紙１によれば、第一の切り欠き部４と第二の切り欠き部５が噛み合わされることにより、互いに係止され、用紙本体部２の高さ方向Ｈの中央部がひねられて環状に配された状態で保持されることから、用紙本体部２を立体的に配した状態を保持することができる。そのため、メモ用紙という事務的なグッズに対して遊び心やデザイン性を付加することができるだけでなく、メモ用紙１を立てた状態で机に置いておくことにより、メモ用紙１が書類によって埋もれてしまうことを防止することができる。したがって、メモ用紙１によれば、利用者に注意を喚起することができ、メモを記入したことを忘れ難くすることができる。
また、環状の内周側にメモスペース部３が配され、環状の外周側にデザイン部８が配されることから、メモの内容を他人に見られないようにしたまま、机の上に気軽に置いておくことができる。さらに、利用者にとっては、環状の内側のメモを外方から容易に見ることができる。
【００３６】
また、第一の切り欠き部４と第二の切り欠き部５をスライドさせるだけで、互いに噛み合わせることができるため、用紙本体部２の環状の状態を保持したまま、第一の切り欠き部４と第二の切り欠き部５を容易に係止させることができる。
【００３７】
また、第一の切り欠き部４がＬ字状に形成され、第二の切り欠き部５が傾斜して形成されていることから、横切り欠き部４ａを介して、傾斜切り欠き部４ｂと第二の切り欠き部５とを容易に係止させることができる。
また、第一の切り欠き部４と第二の切り欠き部５を係止させると、用紙本体部２の環状部分における弾性の復元力より、第一の切り欠き部４と第二の切り欠き部５の係止を解除するように力が働くが、以下のようにして係止が保持される。すなわち、第一の切り欠き部４と第二の切り欠き部５を係止させるとき、大傾斜部５ａと小傾斜部５ｂとを乗り越えて、傾斜切り欠き部４ｂの開放端をスライドさせるため、傾斜切り欠き部４ｂが、途中位置５Ｐ１において大傾斜部５ａの急峻な傾斜に当接することによって、係止を解除する方向の傾斜切り欠き部４ｂの移動が規制される。そのため、第一の切り欠き部４と第二の切り欠き部５の係止が保持される。
【００３８】
また、大傾斜部５ａが、用紙本体部２の一端２ｃ側に向けて凸状に湾曲していることから、第一の切り欠き部４と第二の切り欠き部５を係止させるとき、傾斜切り欠き部４ｂの開放端を容易にスライドさせることができるだけでなく、第一の切り欠き部４と第二の切り欠き部５の係止を保持することができる。
また、突出部６が設けられていることから、第一の切り欠き部４と第二の切り欠き部５を係止させたときに、用紙本体部２の一端部の他方の主面２ｂと突出部６とを当接させることができ、第一の切り欠き部４と第二の切り欠き部５の係止力をさらに増強することができる。
また、対向突出部７が設けられていることから、第一の切り欠き部４と第二の切り欠き部５を係止させて立体形状になった用紙本体部２のバランスを保持することができる。
また、第一の切り欠き部４は、メモスペース部３内に設けられているため、メモスペース部３が環状に保持されたときに、メモスペース部３の一端２ｃ側を他方の主面２ｂによって隠すことができる。
【００３９】
（実施形態２）
次に、本発明の第２の実施形態について説明する。
図６から図９は、本発明の第２の実施形態を示したものである。
図６から図９において、図１から図５に記載の構成要素と同一部分については同一符号を付し、その説明を省略する。
この実施形態と上記第１の実施形態とは基本的構成は同一であり、ここでは主として異なる点について説明する。
【００４０】
メモ用紙１０は、シート状に形成された紙製の用紙本体部１２を備えている。用紙本体部１２は、長尺状に延ばされて形成されている。用紙本体部１２の表裏の主面１２ａ，１２ｂには、全体として黒色の配色が施されている。
用紙本体部１２の高さ方向Ｈの一端１２ｃには、ゴリラの顔のデザインが施され、ゴリラの頭の形状に合わせて輪郭が形成されている。すなわち、用紙本体部１２の一端１２ｃは、高さ方向Ｈの外方にいくにしたがって幅寸法が漸次小さくなる先細り部（係止部）１２ｇとなっている。
また、用紙本体部１２のうち、高さ方向Ｈの中央の領域には、一端１２ｃ側に向かって凸状の半円形の係合穴（係止部）１６が形成されている。なお、係合穴１６の幅方向Ｗの最大の幅寸法Ａ１は、先細り部１２ｇの付け根の最大の幅寸法Ａ２と同一に設定されている。
【００４１】
また、用紙本体部１２の一方の主面１２ａのうち、係合穴１６よりも一端１２ｃ側の領域には、長方形状に延ばされた白抜きの本体メモスペース部（メモスペース部）１３ａが設けられている。一方、用紙本体部１２の一方の主面１２ａのうち、係合穴１６よりも他端部１２ｄ側の領域には、長方形状に延ばされた白抜きの補助メモスペース部（メモスペース部）１３ｂが設けられている。
本体メモスペース部１３ａのうち、用紙本体部１２の一端１２ｃ側には、「ｍｅｓｓａｇｅ」の文字が記載されている。また、補助メモスペース部１３ｂには、「ｄａｔｅ」および「ｆｒｏｍ」の文字が段にして記載されている。すなわち、本体メモスペース部１３ａに、メモの内容が記載され、「ｄａｔｅ」の下スペースに日付が記載され、さらに「ｆｒｏｍ」の下スペースに利用者の名前等が記載されるようになっている。
【００４２】
また、用紙本体部１２の一端部には、幅方向Ｗの一端１２ｅから用紙本体部２の内方領域に連続して延ばされた環状内切り欠き部（係止部）１４が形成されている。
環状内切り欠き部１４は、幅方向Ｗの一端１２ｅから幅方向Ｗの内方に直線上に切り欠かれている。さらに、環状内切り欠き部１４は、本体メモスペース部１３ａの一端２ｃ側に設けられており、そのため本体メモスペース部１３ａの一端２ｃ側は切り欠かれている。
【００４３】
また、用紙本体部１２の他方の主面２ｂのうち、高さ方向Ｈの中央の領域には、装飾用のデザインが施されたデザイン部１８が設けられている。デザイン部１８は、ゴリラの胸に相当する卵形の図形として設けられている。
なお、本体メモスペース部１３ａとデザイン部１８とは、表裏で重なる位置に設けられている。
また、用紙本体部１２の高さ方向Ｈの他端部１２ｄには、高さ方向Ｈの外方に長方形状に延びる帯状部１７が設けられている。帯状部１７の先端部には、幅方向Ｗの他端１２ｆから幅方向Ｗの内方に直線上に切り欠かれた補助切り欠き部（係止部）１５が形成されている。
なお、用紙本体部１２の一端部のうち、幅方向Ｗの両端からは、ゴリラの両腕に相当する形状をなした腕部１２ｈが他端部１２ｄ側に延ばされている。また、用紙本体部２の他端部２ｄのうち、幅方向Ｗの両端からは、ゴリラの両足に相当する形状をなした足部１２ｉが高さ方向Ｈの外方に延ばされている。
【００４４】
次いで、本実施形態におけるメモ用紙１０の利用方法について説明する。
利用者は、用紙本体部１２をシート状に配した状態で、本体メモスペース部１３ａおよび補助メモスペース部１３ｂにメモや日付、名前等を記入する。そして、図８に示すように、用紙本体部１２の他端部１２ｄの他方の主面１２ｂを手前に向けた状態で、他端部１２ｄを左手の指で把持する。さらに、用紙本体部１２の一端部を右手の指で把持して、用紙本体部１２の一端部の一方の主面１２ａが手前を向くように、用紙本体部１２を折り返す。そして、先細り部１２ｇを係合穴１６に差し込んで、他方の主面１２ｂ側に突出した先細り部１２ｇを右手の指で把持して引っ張り出す。先細り部１２ｇの幅寸法Ａ２は、係合穴１６の幅寸法Ａ１と同一に設定されていることから、先細り部１２ｇを係合穴１６から最大に突出させると、先細り部１２ｇの付け根のうち、幅方向Ｗの両端が、係合穴１６のうち幅方向Ｗの両端の縁に当接する。
【００４５】
このとき、本体メモスペース部１３ａとデザイン部１８が環状に弾性変形しており、その復元力により、先細り部１２ｇが係合穴１６内に没入する方向に力が働くが、先細り部１２ｇの付け根の両端と、係合穴１６の両端の縁とが当接することによる摩擦によって、本体メモスペース部１３ａとデザイン部１８が環状に配された状態で、先細り部１２ｇと係合穴１６とが係止される。
さらに、図９に示すように、一方の主面１２ａ側において、帯状部１７を環状に折り返す。そして、環状内切り欠き部１４と補助切り欠き部１５とを幅方向Ｗにスライドさせて、互いに係止する。
これによって、本体メモスペース部１３ａとデザイン部１８が環状に配され、ゴリラの腕部１２ｈの先端と足部１２ｉの先端とが平面上に揃う位置に配された状態で、保持される。
この状態で、ゴリラの腕部１２ｈの先端と足部１２ｉの先端とを机の上などに置いておく。
そして、本体メモスペース部１３ａのメモの内容などを見たい場合には、環状の横からメモの記載を見ることもできるし、上記環状係止の工程とは反対の工程によって、用紙本体部１２をシート状に戻してからメモの記載を見ることもできる。
【００４６】
以上より、本実施形態におけるメモ用紙１０によれば、先細り部１２ｇを係合穴１６に係合させるという簡易な動作により、本体メモスペース部１３ａとデザイン部１８が環状に配された状態で保持されることから、実施形態１のメモ用紙１と同様に、利用者に注意を喚起することができ、メモを記入したことを忘れ難くすることができる。
また、環状内切り欠き部１４と補助切り欠き部１５とを係止させることにより、先細り部１２ｇと係合穴１６との係止を補助することができるだけでなく、他端部１２ｄを下げることにより、机上面に置いたときの立体感や安定感を増大させることができる。
【００４７】
なお、本考案の技術範囲は上記の実施形態に限定されるものではなく、本考案の趣旨を逸脱しない範囲において、形状や寸法など種々の変更を加えることが可能である。
例えば、図１０に示すように、メモ用紙２０は、鳥かごの中に入った鳥をイメージしてデザインされたものである。このメモ用紙２０は、シート状の用紙本体部２２を備え、用紙本体部２２の一端部に形成された第一の切り欠き部（係止部）２４と、他端部に形成された第二の切り欠き部（係止部）２５とが係止されるようになっている。用紙本体部２２の環状に配された部分のうち、一方の主面２２ａには、メモスペース部２３が設けられ、このメモスペース部２３の背面（他方の主面２２ｂ）には、鳥かごの枠と鳥の後ろ姿のデザインが施されたデザイン部２８が設けられている。なお、用紙本体部２２の一端部には鳥の正面のデザインが施され、その鳥の正面のデザインが、用紙本体部２２の他端部に形成された切り欠き穴２９の内方から外方に露出するようになっている。
【００４８】
また、図１１に示すメモ用紙３０は、インコをイメージしてデザインされたものである。このメモ用紙３０は、シート状の用紙本体部３２を備え、用紙本体部３２の一端部に形成された第一の切り欠き部（係止部）３４と、他端部に形成された第二の切り欠き部（係止部）３５とが係止されるようになっている。なお、第二の切り欠き部３５は、両端が開放されておらず、第一の切り欠き部３４を有する羽部３６が第二の切り欠き部３５に内方から外方に向かって差し込まれるようになっている。これにより、第一の切り欠き部３４と第二の切り欠き部３５が係止されるようになっている。また、用紙本体部３２の環状に配された部分のうち、一方の主面３２ａには、メモスペース部３３が設けられ、このメモスペース部３３の背面（他方の主面３２ｂ）には、インコのカラーデザインが施されたデザイン部３８が設けられている。
【００４９】
また、図１２に示すメモ用紙４０は、一輪の花をイメージしてデザインされたものである。このメモ用紙４０は、シート状の用紙本体部４２と、この用紙本体部４２の一端から延ばされた装飾部４１とを備えている。装飾部４１は、花の形に形成されている。
用紙本体部４２の一端部に形成された第一の切り欠き部（係止部）４４と、他端部に形成された第二の切り欠き部（係止部）４５とが係止されるようになっている。また、用紙本体部４２の環状に配された部分のうち、一方の主面４２ａには、メモスペース部４３が設けられ、このメモスペース部４３の背面（他方の主面４２ｂ）には、白抜きのデザインが施されたデザイン部４８が設けられている。
【００５０】
なお、各デザイン部は、図形・文字・色などの単体であってもいいし、それらを組み合わせたものであってもよい。
また、環状の内周側に各メモスペース部が配され、環状の外周側に各デザイン部が配されるとしたが、これに限ることはなく、各メモスペース部を外周側に配し、各デザイン部を内周側に配してもよい。これにより、利用者の要望に応じて、各メモスペース部を内周側か外周側に選択して配することができる。
【符号の説明】
【００５１】
１，１０，２０，３０，４０  メモ用紙
２，１２，２２，３２，４２  用紙本体部
３，２３，３３，４３  メモスペース部
１３ａ  本体メモスペース部（メモスペース部）
１３ｂ  補助メモスペース部（メモスペース部）
４，２４，３４，４４  第一の切り欠き部（係止部）
５，２５，３５，４５  第二の切り欠き部（係止部）
５Ｐ１  途中位置
５ａ  大傾斜部
５ｂ  小傾斜部
６  突出部
７  対向突出部
１２ｇ  先細り部（係止部）
１４  環状内切り欠き部（係止部）
１５  補助切り欠き部（係止部）
１６  係合穴（係止部）
【図１】
0003177592.tif 000003
【図２】
0003177592.tif 000004
【図３】
0003177592.tif 000005
【図４】
0003177592.tif 000006
【図５】
0003177592.tif 000007
【図６】
0003177592.tif 000008
【図７】
0003177592.tif 000009
【図８】
0003177592.tif 000010
【図９】
0003177592.tif 000011
【図１０】
0003177592.tif 000012
【図１１】
0003177592.tif 000013
【図１２】
0003177592.tif 000014